(57)【要約】  本発明は、電気機械に用いられるブラシホルダに関する。本発明によれば、ばねレバーエレメント（２）が設けられており、該ばねレバーエレメント（２）に、ブラシ（５）を保持するためのブラシ保持装置（２ｃ）が配置されており、さらに、ブラシ（５）に対する導電的な接続に用いられるストランド（３）が設けられており、該ストランド（３）が、ばねレバーエレメント（２）に少なくとも１つのコンタクト箇所（４ａ，４ｂ；７；８）でコンタクティングしており、これによって、該コンタクト箇所とブラシ（５）との間に、予め規定された長さを備えたストランド区分（３ａ，３ｂ）が形成されており、これによって、当該ブラシホルダに生ぜしめられる振動が減衰されるようになっていることが提案される。
2008527954.tif 000002
【特許請求の範囲】
【請求項１】
電気機械に用いられるブラシホルダにおいて、ばねレバーエレメント（２）が設けられており、該ばねレバーエレメント（２）に、ブラシ（５）を保持するためのブラシ保持装置（２ｃ）が配置されており、さらに、ブラシ（５）に対する導電的な接続に用いられるストランド（３）が設けられており、該ストランド（３）が、ばねレバーエレメント（２）に少なくとも１つのコンタクト箇所（４ａ，４ｂ；７；８）でコンタクティングしており、これによって、該コンタクト箇所とブラシ（５）との間に、予め規定された長さを備えたストランド区分（３ａ，３ｂ）が形成されており、これによって、当該ブラシホルダに生ぜしめられる振動が減衰されるようになっていることを特徴とする、電気機械に用いられるブラシホルダ。
【請求項２】
ストランド（３）が、線材状の個々の多数のエレメントを有しており、該エレメントが、互いに相対的に運動可能である、請求項１記載のブラシホルダ。
【請求項３】
ストランド（３）が、編組線から製作されている、請求項１または２記載のブラシホルダ。
【請求項４】
ストランド（３）が、コンタクト箇所（４ａ，４ｂ）で溶接または接着によってばねレバーエレメント（２）に固定されている、請求項１から３までのいずれか１項記載のブラシホルダ。
【請求項５】
ばねレバーエレメント（２）が、少なくとも１つの貫通開口（８）を有しており、ストランド（３）が、貫通開口（８）を通して案内されている、請求項１から４までのいずれか１項記載のブラシホルダ。
【請求項６】
ばねレバーエレメント（２）が、２つの貫通開口（８）を有しており、ストランド（３）が、両貫通開口（８）を通して案内されている、請求項５記載のブラシホルダ。
【請求項７】
ばねレバーエレメントが、２つの壁領域（７）を有しており、両壁領域（７）が、ばねレバーエレメント（２）から突出して互いに反対の側に位置するように配置されており、ストランド（３）が、両壁領域（７）の間を通して案内されている、請求項１から４までのいずれか１項記載のブラシホルダ。
【請求項８】
両壁領域（７）が、互いにほぼ平行に配置されている、請求項７記載のブラシホルダ。
【請求項９】
両壁領域（７）が、ばねエレメントから出発して互いに近づく方向に延びるように配置されている、請求項７記載のブラシホルダ。
【請求項１０】
壁領域（７）が、ばねレバーエレメント（２）の、折り曲げられた領域から形成されている、請求項７から９までのいずれか１項記載のブラシホルダ。
【請求項１１】
ストランド（３）が、少なくとも１回ばねレバーエレメント（２）に巻き付けられている、請求項１から４までのいずれか１項記載のブラシホルダ。
【請求項１２】
請求項１から１１までのいずれか１項記載のブラシホルダを有する電気機械。
【発明の詳細な説明】
【技術分野】
【０００１】
背景技術
本発明は、電気機械に用いられるブラシホルダに関する。
【０００２】
さらに、本発明は、このような形式のブラシホルダを有する電気機械に関する。
【０００３】
電気機械に用いられるブラシホルダは、公知先行技術に基づき種々異なる構成で公知である。この場合、公知のブラシホルダは、固定された部材と、回転する部材との間の電気的なコンタクティングに用いられる炭素ブラシを保持するための機能を有している。この場合、電気機械の運転の間、ブラシ振動が生ぜしめられる。ブラシのこのような振動は、特に摩擦係数変動によって励起される。ブラシホルダを介して、この振動は電気機械の別の構成部材に導入され、周辺に放射され得る。このことは、運転の間の、いわゆる「ブラシ騒音」に繋がり得る。特にたとえばウィンドウリフタ、電動式のスライダルーフ、車両シート等に用いられる、車両における快適性を高めるための駆動装置として電気機械の使用事例では、運転の間のこのような騒音は望まれていない。なぜならば、騒音が車両乗員によって煩わしいと感じられるかもしくは駆動装置の故障と解釈されるからである。
【０００４】
ブラシの摩耗の補償をばねレバーを介して実施するブラシ支持体の場合、運転中に生ぜしめられる振動は特に大きい。なぜならば、この振動が、ばねレバーに基づき増幅されて、電気機械の、隣接した構成部材に伝達されるからである。したがって、ブラシ振動を最小限に抑えるための手段が必要となる。
【０００５】
発明の利点
本発明によるブラシホルダは、ばねレバーエレメントが設けられており、該ばねレバーエレメントに、ブラシを保持するためのブラシ保持装置が配置されており、さらに、ブラシに対する導電的な接続に用いられるストランドが設けられており、該ストランドが、ばねレバーエレメントに少なくとも１つのコンタクト箇所でコンタクティングしており、これによって、該コンタクト箇所とブラシとの間に、予め規定された長さを備えたストランド区分が形成されており、これによって、当該ブラシホルダに生ぜしめられる振動が減衰されるようになっていることによって特徴付けられている。
【０００６】
本発明の有利な構成によれば、ストランドが、線材状の個々の多数のエレメントを有しており、該エレメントが、互いに相対的に運動可能である。
【０００７】
本発明の有利な構成によれば、ストランドが、編組線から製作されている。
【０００８】
本発明の有利な構成によれば、ストランドが、コンタクト箇所で溶接または接着によってばねレバーエレメントに固定されている。
【０００９】
本発明の有利な構成によれば、ばねレバーエレメントが、少なくとも１つの貫通開口を有しており、ストランドが、貫通開口を通して案内されている。
【００１０】
本発明の有利な構成によれば、ばねレバーエレメントが、２つの貫通開口を有しており、ストランドが、両貫通開口を通して案内されている。
【００１１】
本発明の有利な構成によれば、ばねレバーエレメントが、２つの壁領域を有しており、両壁領域が、ばねレバーエレメントから突出して互いに反対の側に位置するように配置されており、ストランドが、両壁領域の間を通して案内されている。
【００１２】
本発明の有利な構成によれば、両壁領域が、互いにほぼ平行に配置されている。
【００１３】
本発明の有利な構成によれば、両壁領域が、ばねエレメントから出発して互いに近づく方向に延びるように配置されている。
【００１４】
本発明の有利な構成によれば、壁領域が、ばねレバーエレメントの、折り曲げられた領域から形成されている。
【００１５】
本発明の有利な構成によれば、ストランドが、少なくとも１回ばねレバーエレメントに巻き付けられている。
【００１６】
請求項１の特徴を備えた、電気機械に用いられる本発明によるブラシホルダは、従来のものに比べて、このブラシホルダが、ブラシに生ぜしめられる振動を極めて良好に減衰することができるという利点を有している。この場合、本発明によるブラシホルダは極めて簡単に形成されていて、廉価に製作することができる。このことは、特に有利である。なぜならば、このような形式のブラシホルダが大量生産構成部材であり、大きなコスト節約ポテンシャルが達成されるからである。ブラシの振動の減衰は、本発明によれば、ブラシへの給電のために設けられたストランドによって達成される。この場合、このストランドは、少なくとも１つのコンタクト箇所でブラシホルダのばねレバーエレメントに接触している。この場合、コンタクト箇所とブラシとの間には、予め規定された長さを備えたストランド区分が配置されている。したがって、本発明によれば、ストランドが、ブラシにおける振動のための減衰エレメントとして使用される。したがって、本発明によれば、減衰効果を付加的な減衰エレメントなしに達成することができる。なぜならば、ストランドがブラシへの給電のために元々既存であるからからである。
【００１７】
従属請求項には、本発明の有利な構成が示してある。
【００１８】
ストランドが、線材状の個々の多数のエレメントから形成されており、これらのエレメントが、ある程度の範囲内で互いに相対的に運動可能であると有利である。これによって、ストランドの、改善された減衰特性を達成することができる。なぜならば、線材状の個々のエレメントが互いに相対的に運動することができ、生ぜしめられる振動の減衰を実施することができるからである。
【００１９】
本発明の特に有利な実施例によれば、ストランドが編組線、特に銅編組線から製作されている。これによって、一層良好な減衰特性を達成することができる。なぜならば、線材の長手方向と、これに対して横方向とへの個々の線材の相対運動が可能となるからである。
【００２０】
ストランドが、ばねレバーエレメントに対するコンタクト箇所に溶接、ろう接または接着によって固定されていると有利である。
【００２１】
本発明の別の有利な構成によれば、ばねレバーエレメントが、１つの貫通開口を備えて形成されており、ストランドが貫通開口を通して案内されている。この場合、この貫通開口の直径は、ストランドの直径よりも幾分しか大きく寸法設定されておらず、これによって、ストランドがばねレバーエレメントにコンタクティングすることが確保されている。２つまたはそれ以上の貫通開口がばねレバーエレメントに形成されており、ストランドが、ばねレバーエレメントに設けられた各貫通開口を通して案内されていると特に有利である。これによって、なおも、ストランドを、ばねレバーエレメントに設けられた２つの貫通開口の間でばねレバーエレメントに沿って案内することができるので、これによって、付加的なコンタクト箇所が生ぜしめられ、振動を一層良好に減衰することができることが達成される。
【００２２】
本発明の別の有利な構成によれば、ばねレバーエレメントが、突出した２つの壁領域を有しており、ストランドが両壁領域の間を通して案内されている。これによって、ばねレバーエレメントにストランドのための通路状の収容領域が形成され、これによって、ストランドが、通路状の収容領域の壁領域と底領域とにコンタクティングすることができ、振動を減衰することができる。両壁領域が、互いにほぼ平行に配置されていると有利である。両壁領域が、通路状の収容領域の底部に対して９０゜よりも小さな角度で配置されていて、僅かに互いに近づく方向に延びているように折り曲げられているとさらに有利であり、これによって、ストランドを両壁領域の間に保持することができる。壁領域は、有利にはばねレバーエレメント自身の材料から、たとえば打抜き加工および折曲げ加工によって製作されている。
【００２３】
本発明の別の有利な構成によれば、ストランドが一回またはそれ以上の回数ばねレバーエレメントに巻き付けられている。これによって、ストランドとばねエレメントとの間に多数のコンタクト箇所もしくはより長いコンタクト区分を提供することができる。
【００２４】
本発明のさらに別の有利な構成によれば、ストランドがばねレバーエレメントに溶接、ろう接または接着によって固定されている。
【００２５】
さらに、本発明は、本発明によるブラシホルダを備えた電気機械に関する。この電気機械は、特に有利には電動モータとして形成されていて、車両における快適駆動のための駆動装置、たとえばウィンドウリフタ駆動装置、シート調節駆動装置、スライディングルーフ駆動装置等として使用される。
【００２６】
以下に、本発明を有利な実施例につき図面に相俟って説明する。
【００２７】
実施例の説明
以下に、図１に関連して、本発明の第１の実施例によるブラシホルダ１を説明する。このブラシホルダ１は、主として、ばねレバー２を有している。このばねレバー２は、たとえばばね鋼から製作されているかまたはばね弾性的な特性を備えたプラスチックから製作されている。ばねレバー２は固定領域２ａを有している。この固定領域２ａでばねレバー２は、たとえば電気機械のハウジングに固定されている。固定領域２ａは、たとえばハウジング領域にクリップ固定されてもよいし、ハウジング材料の射出成形によってハウジング領域に埋め込まれてもよい。さらに、ばねレバー２はレバー領域２ｂを有している。このレバー領域２ｂは、固定領域２ａに対して予め規定された角度を成して延びている。レバー領域２ｂの端部には、ブラシ５を保持するための保持領域２ｃが配置されている。ブラシ５は、図１に示したように、幾分保持領域２ｃから前方に突出していて、電気機械の、回転する構成部材との電気的なコンタクティングを提供する。
【００２８】
ブラシ５への給電はストランド３を介して可能になる。このストランド３は、個々の多数の銅線材を有している。これらの銅線材は、ある程度の範囲内で互いに相対的に運動することができる。この場合、銅線材は編組線として形成されている。図１に示したように、ストランド３は２つの溶接点４ａ，４ｂでばねレバー２、より正確には、レバー領域２ｂに固定されている。両溶接点４ａ，４ｂは、ストランド３とばねレバー２との間にコンタクト箇所を提供する。したがって、ブラシ５と、ばねレバー２に対する第１の溶接点４ａとの間にストランド領域３ａが形成されている。このストランド領域３ａでは、ストランド３の個々の線材相互の摩擦によって、運転中のブラシのコンタクトに基づき発生させられる振動エネルギを減衰することができる。この場合、ストランド領域３ａの長さは、第１の溶接点４ａの位置に関連して選択することができる。両溶接点４ａ，４ｂの間には、別のストランド領域３ｂが配置されている。このストランド領域３ｂは、ばねレバー２のレバー領域２ｂに緩く接触している。言い換えるならば、ストランド領域３ｂはレバー領域２ｃに支持されている。この領域でも、振動を、ストランド３の個々の線材相互の摩擦と、ストランド領域３ｂとばねレバー２との間の摩擦とによって減衰することができる。
【００２９】
したがって、本発明によれば、ブラシホルダにおける振動を減衰するための付加的な構成部材が不要となり、給電のための元々既存のストランド３が付加的にさらに振動の減衰のために使用される。これによって、本発明によるブラシホルダを特に廉価に提供することができる。コスト利点のほかに、品質利点も得られる。なぜならば、本発明によるブラシホルダは特に簡単に形成されていて、簡単に製作することができるからである。
【００３０】
以下に、第２の実施例によるブラシホルダ１を図２に関連して説明する。この場合、同じ部材もしくは機能的に同じ部材には、前述した実施例と同じ符号が付してある。
【００３１】
第１の実施例と異なり、第２の実施例では、ストランド３がばねレバー２のレバー領域２ｂに複数回巻き付けられている。これによって、特にストランド３の曲がり箇所にストランド３とばねレバー２との間の複数のコンタクト点４が得られる。これによって、ストランド領域３ａのほかに、それぞれ２つのコンタクト点４の間に多数の別のストランド領域が形成される。これらのストランド領域では、ストランド３が、それぞればねレバー２に載置していて、このばねレバー２にコンタクティングしている。したがって、ストランド３の特に大きな長さを、ばねレバー２もしくはブラシ５に生ぜしめられる振動の減衰のために使用することができる。これによって、生ぜしめられる振動を特に効果的にストランドの個々の線材相互の摩擦によって減衰することができる。
【００３２】
図３には、本発明の第３の実施例によるブラシホルダが示してある。この場合、同じ部材もしくは機能的に同じ部材には、前述した実施例と同じ符号が再び付してある。
【００３３】
図３に示したように、ばねレバー２のレバー領域２ｂには、それぞれ互いに反対の側に位置する２つの壁領域７が形成されている。両壁領域７は、材料の打抜き加工および折曲げ加工によってレバー領域２ｂから形成されている。壁領域７は、レバー領域２ｂの基礎面に対してほぼ垂直に突出している。それぞれ互いに反対の側に位置する２つの壁領域７の間を通って、ストランド３が案内されている。この場合、壁領域７は、ストランドを壁領域７相互の間でクランプするように形成することができる。これによって、ばねレバー２に対するストランド３の確実な位置決めが達成される。確実な固定のためには、壁領域７をばねレバー２に対して９０゜よりも小さい角度で配置することができ、ほぼ互いに近づく方向に折り曲げることができ、これによって、隣り合った２つの壁領域７の間の間隔が、レバー領域２ｂから出発して外向きに連続的に減少させられる。
【００３４】
この場合、ブラシもしくはばねレバー２における振動の減衰は、壁領域７に対する第１のコンタクト箇所と、ブラシ５との間のストランド領域３ａと、ばねレバー２に設けられた壁領域７に対する両コンタクト箇所の間のストランド領域３ｂとによって達成される。したがって、第１の実施例に類似して、第３の実施例では、２つのコンタクト点がストランド３とばねレバー２との間に実現されている。その他の点では、この実施例は、前述した実施例に相当しており、これによって、そこに記載した説明を参照することができる。
【００３５】
図４には、本発明の第４の実施例によるブラシホルダ１が示してある。この場合、同じ部材もしくは機能的に同じ部材には、前述した実施例と同じ符号が再び付してある。
【００３６】
前述した実施例と異なり、第４の実施例によるブラシホルダ１では、２つの貫通開口８がばねレバー２のレバー領域２ｂに形成されている。図４に示したように、ストランド３は両開口８を通って案内されている。したがって、ストランド３とばねレバー２との間のコンタクト箇所が貫通開口８の領域に形成される。ストランド３は、第１の実施例および第３の実施例に類似して、両貫通開口８の間で再びばねレバー２に沿って案内されており、これによって、ストランド領域３ａのほかに、ストランドの、両貫通開口８の間に位置する領域も振動の減衰のために使用することができる。
【００３７】
その他の点では、この実施例は、前述した実施例に相当しており、これによって、そこに記載した説明も参照することができる。
【００３８】
本発明の枠内では、添付した特許請求の範囲に規定したような本発明の範囲を逸脱することなしに、種々異なる変化および変更が可能となる。
【図面の簡単な説明】
【００３９】
【図１】本発明の第１の実施例によるブラシホルダの概略的な斜視図である。
【図２】本発明の第２の実施例によるブラシホルダの概略的な斜視図である。
【図３】本発明の第３の実施例によるブラシホルダの概略的な斜視図である。
【図４】本発明の第４の実施例によるブラシホルダの概略的な斜視図である。
【符号の説明】
【００４０】
１  ブラシホルダ、  ２  ばねレバー、  ２ａ  固定領域、  ２ｂ  レバー領域、  ２ｃ  保持領域、  ３  ストランド、  ３ａ  ストランド領域、  ３ｂ  ストランド領域、  ４  コンタクト点、  ４ａ  溶接点、  ４ｂ  溶接点、  ５  ブラシ、  ７  壁領域、  ８  貫通開口
【図１】
2008527954.tif 000003
【図２】
2008527954.tif 000004
【図３】
2008527954.tif 000005
【図４】
2008527954.tif 000006
【国際調査報告】
2008527954.tif 000007
2008527954.tif 000008
2008527954.tif 000009
2008527954.tif 000010
2008527954.tif 000011
2008527954.tif 000012